(57)【特許請求の範囲】
【請求項１】
基材上に磁性層と導電層とを有する安全スレッドであって、導電層に相対的にマイクロ波検知電圧が強い導電部を設け、前記相対的にマイクロ波検知電圧が強い導電部の位置と磁性層に記録した磁気データの位置とを一定の位置関係に配置したことを特徴とする安全スレッド。
【請求項２】
前記導電部は、安全スレッドの長さ方向に検知用マイクロ波の波長のほぼ整数分の一の長さを有する導電帯からなることを特徴とする請求項１記載の安全スレッド。
【請求項３】
前記導電部は、安全スレッドの長さ方向に所定の長さを有する第１の導電帯と第２の導電帯とからなり、前記第１の導電帯は磁気データの開始位置と、前記第２の導電帯は磁気データの各ビット位置とそれぞれ一定の位置関係に配置されていることを特徴とする請求項１または２に記載の安全スレッド。
【請求項４】
前記導電帯は、マイクロ波検知器の走査方向の正方向および逆方向に対応して磁気データの各ビットが記録されている位置に対して走査方向の前方または後方にずれていることを特徴とする請求項３に記載の安全スレッド。
【請求項５】
前記導電部は、安全スレッドの長さ方向に所定の長さを有する第１の導電帯と、安全スレッドの長さ方向に少なくとも２種類の長さを有する第２の導電帯とからなり、前記第１の導電帯は磁気データの開始位置と、前記第２の導電帯は磁気データの各ビット位置とそれぞれ一定の位置関係に配置され、前記第２の導電帯は磁気データと照合するための照合データを担持していることを特徴とする請求項１に記載の安全スレッド。
【請求項６】
前記導電帯は、マイクロ波検知器の走査方向の正方向および逆方向に対応して磁気データの各ビットが記録されている位置に対して前方または後方にずれていることを特徴とする請求項５に記載の安全スレッド。
【請求項７】
安全スレッドに沿って走査するマイクロ波検知器と磁気検知器と、
前記マイクロ波検知器が所定のマイクロ波検知電圧を検知したタイミングを読み取り開始の基準として前記磁気検知器が検知した磁気波形を磁気データとして読み取るタイミング照合手段と、を有していることを特徴とする安全スレッドの真偽判別装置。
【請求項８】
安全スレッドに沿って走査するマイクロ波検知器と磁気検知器と、
前記マイクロ波検知器が所定のマイクロ波検知電圧を検知したタイミングをデータ読み取りタイミングの基準として前記磁気検知器が検知した磁気波形を磁気データとして読み取るタイミング照合手段と、を有していることを特徴とする安全スレッドの真偽判別装置。
【請求項９】
安全スレッドに沿って走査するマイクロ波検知器と磁気検知器と、
前記マイクロ波検知器が所定のマイクロ波検知電圧を検知したタイミングを読み取り開始の基準とし、他の所定のマイクロ波検知電圧を検知したタイミングをデータ読み取りタイミングの基準として前記磁気検知器が検知した磁気波形を磁気データとして読み取るタイミング照合手段と、を有していることを特徴とする安全スレッドの真偽判別装置。
【請求項１０】
前記マイクロ波検知器が所定のマイクロ波検知電圧を検出したタイミングと前記磁気検知器が磁気波形を検出したタイミングの先後によって、磁気検知器が読み取った磁気データを正逆位相補正する位相補正手段を有していることを特徴とする請求項７〜９のいずれかに記載の安全スレッドの真偽判別装置。
【請求項１１】
前記マイクロ波検知器と前記磁気検知器とを前記安全スレッドを含む印刷物の安全スレッドを設けた部分あるいはその搬送路の両側に対向して配置し、前記印刷物と前記磁気検知器の間にマイクロ波反射板を設けたことを特徴とする請求項７〜９のいずれかに記載の安全スレッドの真偽判別装置。
【請求項１２】
真正印刷物の識別データを記憶した記憶手段と、
前記磁気データを真正印刷物の識別データと比較して真偽判定する真偽判定手段と、を有していることを特徴とする請求項７〜１０のいずれかに記載した安全スレッドの真偽判別装置。
【請求項１３】
安全スレッドに沿って走査するマイクロ波検知器と磁気検知器と、
前記マイクロ波検知器が検知した段階的強弱を有するマイクロ波検知電圧を少なくとも２つ値を有する導電性データに変換する導電性データ化手段と、
前記マイクロ波検知器がマイクロ波検知電圧を検知したタイミングをデータ読み取りタイミングの基準として前記磁気検知器が検知した磁気波形を磁気データとして読み取るタイミング照合手段と、を有していることを特徴とする安全スレッドの真偽判別装置。
【請求項１４】
安全スレッドに沿って走査するマイクロ波検知器と磁気検知器と、
前記マイクロ波検知器が検知した段階的強弱を有するマイクロ波検知電圧を少なくとも２つ値を有する導電性データに変換する導電性データ化手段と、
前記マイクロ波検知器が所定のマイクロ波検知電圧を検知したタイミングを読み取り開始の基準とし、他のマイクロ波検知電圧を検知したタイミングをデータ読み取りタイミングの基準として前記磁気検知器が検知した磁気波形を磁気データとして読み取るタイミング照合手段と、を有していることを特徴とする安全スレッドの真偽判別装置。
【請求項１５】
前記マイクロ波検知器が所定のマイクロ波検知電圧を検出したタイミングと前記磁気検知器が磁気波形を検出したタイミングの先後によって、磁気検知器が読み取った磁気データを正逆位相補正する位相補正手段を有していることを特徴とする請求項１３または１４記載の安全スレッドの真偽判別装置。
【請求項１６】
前記導電性データと前記磁気データの内容を照合するデータ照合手段を有していることを特徴とする請求項１３〜１５のいずれかに記載の安全スレッドの真偽判別装置。
【請求項１７】
所定のマイクロ波検知電圧を検知するステップと、
前記マイクロ波検知電圧を検知したタイミングを読み取り開始の基準として磁気データを読み取るステップとを有していることを特徴とする安全スレッドの真偽判別方法。
【請求項１８】
所定のマイクロ波検知電圧を検知するステップと、
前記マイクロ波検知電圧を検知したタイミングをデータ読み取りタイミングの基準として磁気データを読み取るステップとを有していることを特徴とする安全スレッドの真偽判別方法。
【請求項１９】
２種類のマイクロ波検知電圧を検知するステップと、
１種類のマイクロ波検知電圧を検知したタイミングを読み取り開始の基準とし、他の種類のマイクロ波検知電圧を検知したタイミングをデータ読み取りタイミングの基準として磁気データを読み取るステップとを有していることを特徴とする安全スレッドの真偽判別方法。
【請求項２０】
前記マイクロ波検知電圧を検知したタイミングと前記磁気データを検知したタイミングの先後によって磁気データを正逆位相補正するステップを有することを特徴とする請求項１７〜１９のいずれかに記載の安全スレッドの真偽判別方法。
【請求項２１】
少なくとも２種類のマイクロ波検知電圧を検知するステップと、
前記マイクロ波検知電圧を少なくとも２つ値を有する導電性データに変換するステップと、
マイクロ波検知電圧を検知したタイミングをデータ読み取りタイミングの基準として磁気データを読み取るステップと、
前記導電性データと前記磁気データとを照合して真偽を判別するステップと、を有していることを特徴とする安全スレッドの真偽判別方法。
【請求項２２】
少なくとも２種類のマイクロ波検知電圧を検知するステップと、
前記マイクロ波検知電圧を少なくとも２つ値を有する導電性データに変換するステップと、
１種類のマイクロ波検知電圧を検知したタイミングを読み取り開始の基準とし、他の種類のマイクロ波検知電圧を検知したタイミングをデータ読み取りタイミングの基準として磁気データを読み取るステップと、
前記導電性データと前記磁気データとを照合して真偽を判別するステップと、を有していることを特徴とする安全スレッドの真偽判別方法。
【請求項２３】
前記マイクロ波検知電圧を検知したタイミングと前記磁気データを検知したタイミングの先後によって磁気データを正逆位相補正するステップを有することを特徴とする請求項２１または２２に記載の安全スレッドの真偽判別方法。
【発明の詳細な説明】
【０００１】
【発明の属する技術分野】
本発明は印刷物の真偽判別のために印刷物に付す細長い条片（これを本明細書では「安全スレッド」と呼ぶ）と、安全スレッドを付した印刷物の真偽判別装置と、その真偽判別方法に関する。
【０００２】
【従来の技術】
印刷物の真偽判別のために、印刷物の一部に安全スレッドを挿入し、あるいは貼着することが行われている。安全スレッドは、ポリエステルや塩化ビニール等の基材の上に金属被膜等の導電層あるいは磁性体を含む磁性層をコーティングし、導電層を部分的に除去し、あるいは磁性層に磁気データを記録させたりしたものである。この安全スレッドの存在により、目視、あるいは、静電容量検出器、マイクロ波検出器、渦電流検出器、Ｘ線検出器等の機械処理によってそれを挿入した印刷物の真偽判別をすることができる。
【０００３】
特許第２９０６３５２号には、安全スレッドの基材に真空蒸着、化学的エッチング、レーザーエッチング等の方法によって金属被膜を施し、その金属被膜を繰り返しのパターンで部分的に除去し、その安全スレッドを付した紙をマイクロ波検出器等に通した時に、安全スレッドの繰り返しパターンを機械によって同定し、繰り返しパターンの反射マイクロ波の変化パターンを真正印刷物のパターンと比較して真偽判定をする技術が記載されている。この技術は、それ以前の安全スレッドが単にスレッドが存在するか否か、あるいは安全スレッド上に文字が存在するか否か、すなわち部分的に除去されているか否かを検出するものであるのに対し、一歩進んで繰り返しパターンで部分的に金属被膜を除去した安全スレッドが一定のマイクロ波検出電圧の波形パターンを生じることに着目し、そのマイクロ波検出電圧の波形パターンを真正印刷物のそれと比較して真偽判別するものである。
【０００４】
この技術によれば、部分的に金属被膜を除去した安全スレッドによって、真正印刷物と偽造印刷物とを判別することができるようになる。
一方、特開平第１０−２６９５５６号には、基材にＭｎＢｉを主体とする磁性粉末と、酸化物磁性粉末、金属磁性粉末、合金磁性粉末、化合物磁性粉末の中の少なくとも一種の磁性材料からなる磁性層を付し、再生可能な磁気データを記録し、一度書き込むとその後の書き換えが困難な磁気記録媒体が記載されている。
この技術は、安全スレッドに関するものではないが、それ以前の技術では磁性層に記録された磁気データが偶発的な消磁あるいは意図的な改竄によって変化することを防止するために考案されたものである。この技術を安全スレッドに適用することにより、それ以前問題であった磁気データの改竄による偽造印刷物の検出漏れを防止することができる。
【０００５】
【発明が解決しようとする課題】
▲１▼しかし、上記従来の技術は、安全スレッドを印刷物に付す製造時に、安全スレッドと印刷物に相対的なずれが生じ、このために安全スレッドに担持されている信号の読み取りに問題が生じることがあった。このことを以下に説明する。
【０００６】
安全スレッドを印刷物の用紙に付す製造工程では、安全スレッドに真偽判別用のデータを予め付与してリールに巻き、連続して送られる用紙にリールの安全スレッドを同期させて解き、用紙に安全スレッドを貼着あるいは埋設してゆく。しかし、用紙の流れと安全スレッドの流れは厳密に一致することが難しく、両者に相対的なずれが生じ、このようにして印刷された結果、印刷画像に対して安全スレッド中のデータ位置が印刷物ごとに位相が相違することが生じる。この場合、図１３に示すように、安全スレッドの裁断位置によって磁気データ等の読み取り結果が異なることになり、機械処理時の真偽判別が困難になる。
【０００７】
上記磁気データの読み取り錯誤の対策として、特許第２９０６３５２号のように安全スレッド上のデータを繰り返しパターンとし、繰り返しパターンを同定することによりデータを特定する方法があるが、この方法では一定長さ中に同定するのに十分な繰り返しパターンを入れる必要があるため、記録することができるデータの量（データの内容）が限られてしまう。また、読み取り錯誤を防止するために、安全スレッド上のデータに見出しデータを付加する方法も考えられる。しかし、見出しデータを付加するとデータ長が長くなり、結局記録できるデータ量が少なくなることと、機械による読み取り時には測定した見出しデータの認識や照合のための処理部が必要になり判別装置の負担が大きくなること等の問題がある。
【０００８】
▲２▼細長い線状の安全スレッド上にデータを担持させた場合、これを機械処理で読み取ると一列のデータのみが読み取れることになる。従って、印刷物たとえば紙幣に一つの安全スレッドのみを付し、ＡＴＭや自動販売機などで自動機械判別しようとする場合、紙幣を挿入する方向は表裏と正逆、あわせて４方向の可能性がある。この場合、機械の読み取り方向が逆になると、安全スレッドに書き込んだデータのビットの順番が逆になり、たとえば「１００」というデータは「００１」と読み取られ、書き込み時とは異なるデータとして認識されてしまう。
【０００９】
▲３▼金属被膜を部分的に除去して形成した文字やパターンを機械によって読み取るには静電容量検出器によって検出する方法と、マイクロ波検出器によって検出する方法とがある。
静電容量検出器によって導電体の静電容量を検出するには比較的広い面積が必要になり、安全スレッド上の文字やパターンに対しては分解能が低くなる。つまり、静電容量検出器による静電容量の検出では、文字やパターンが存在するか否かをおおよその検知レベルとして検知できるが、安全スレッド上の文字やパターンをデータ値やＩＤ情報として読み取ることは困難である。
【００１０】
一方、マイクロ波検出器による金属被膜上の文字やパターンを検出するには、文字あるいはパターンを形成した金属被膜層に向けてマイクロ波等の電磁波を放射し、その反射、透過、あるいは僅かな吸収をもとに文字やパターンの種類に応じた電磁波レベルの相違を検知するが、マイクロ波検出器から空間に送信および受信する電磁波の広がりが大きいため、測定精度が低く、静電容量検出器の場合と同様に安全スレッド上に文字やパターンが存在するか否かをおおよその検知レベルとして検知できる程度である。
【００１１】
つまり、安全スレッド上の文字やパターンをマイクロ波検出器で読み取ろうとすると、上記特許第２９０６３５２号に記載されているような連続的に変化する検知波形を検出できるだけであり、特定の情報を伝達できる信号、たとえば０，１の配列信号を検出することはできない。
【００１２】
さらに、静電容量やマイクロ波検知電圧の上述したような連続的に変化する検知波形は、偽造者がカラーコピー等の一般的な紙の表面に何らかの導電材料を適量塗布したり、金属箔を張り付けたりすることにより、偽造印刷物を検出することが困難になる。
【００１３】
本発明が解決しようとする課題は、以上の従来技術の課題を解決し、安全スレッドと印刷物用紙の位相ずれに関わらず機械による読み取り錯誤を防止し、磁性層はむろん導電層にも情報伝達可能なデータを担持させられ、正逆方向の読み取り錯誤を防止できる安全スレッド、その真偽判別装置およびその真偽判別方法を提供することにある。
【００１４】
【課題を解決するための手段】
本願請求項１に係る安全スレッドは、
基材上に磁性層と導電層とを有する安全スレッドであって、導電層に相対的にマイクロ波検知電圧が強い導電部を設け、前記相対的にマイクロ波検知電圧が強い導電部の位置と磁性層に記録した磁気データの位置とを一定の位置関係に配置している。
【００１５】
本発明によれば、導電部は相対的に大きいマイクロ波検知電圧を生じ、この電圧検知時点を基準として磁気データを読み取る。なお、「基準」とは、マイクロ波電圧の検知時点と磁気データの検知時点がずれていても、予め定めた時間的・距離的なずれを補正して磁気データの先頭ビットを確定することを表す意である。
【００１６】
「導電部」とは、導電部分の意であり、「相対的にマイクロ波検知電圧が強い導電部」は、形状に関係なく、金属被膜を一定パターンで部分的に除去したもの、本発明の実施形態のように所定の長さを有する導電帯など、種々の変形例を取り得る。
【００１７】
本願請求項２に係る安全スレッドは、
前記導電部は、安全スレッドの長さ方向に検知用マイクロ波の波長のほぼ整数分の一の長さを有する導電帯からなるものである。
【００１８】
本発明によれば、マイクロ波は電磁波であるので、波長の整数分の一の長さの導電帯は共振して強い電波を反射する。ただし、実際には種々の要因が加わって正確には波長の整数分の一のようにならないので、ここでは「検知用マイクロ波の波長のほぼ整数分の一の長さ」としている。
【００１９】
本願請求項３に係る安全スレッドは、請求項１または２の安全スレッドにおいて、
前記導電部は、安全スレッドの長さ方向に所定の長さを有する第１の導電帯と第２の導電帯とからなり、前記第１の導電帯は磁気データの開始位置と、前記第２の導電帯は磁気データの各ビット位置とそれぞれ一定の位置関係に配置されていることを特徴とするものである。
【００２０】
本発明では、第１と第２の導電帯が少なくとも２種類のマイクロ波検知電圧を生じさせるので、これらの電圧を使い分けることができる。本発明では、一種類の長さの導電帯をスタートタイミングとして使用し、他の導電帯をデータタイミングとして使用する。
【００２１】
本願請求項４に係る安全スレッドは、請求項３の安全スレッドにおいて、
前記導電帯は、マイクロ波検知器の走査方向の正方向および逆方向に対応して磁気データの各ビットが記録されている位置に対して走査方向の前方または後方にずれているものである。
【００２２】
本発明では、導電帯が磁気データの各ビットに対して前方または後方にずれていることにより、スタートタイミングと磁気データの先頭ビットの先後によって走査方向を検出することができ、適宜正逆の位相補正を行うことができる。
【００２３】
本願請求項５に係る安全スレッドは、請求項１の安全スレッドにおいて、
前記導電部は、安全スレッドの長さ方向に所定の長さを有する第１の導電帯と、安全スレッドの長さ方向に少なくとも２種類の長さを有する第２の導電帯とからなり、前記第１の導電帯は磁気データの開始位置と、前記第２の導電帯は磁気データの各ビット位置とそれぞれ一定の位置関係に配置され、前記第２の導電帯は磁気データと照合するための照合データを担持していることを特徴とするものである。
【００２４】
本発明では、導電部が第１の導電帯と第２の導電帯とからなり、第２の導電帯はさらに安全スレッドの長さ方向に少なくとも２種類の長さを有している。これにより、少なくとも２種類の電圧を検知させ、これらの検知電圧はデジタル化でき、スタートタイミングとデータタイミングとして使用できる他、デジタルデータとして任意の情報を表現することができる。本発明は、導電帯によるマイクロ波検知電圧を電磁データとの照合用データとして用いるものである。
【００２５】
本願請求項６に係る安全スレッドは、請求項５の安全スレッドにおいて、
前記導電帯は、マイクロ波検知器の走査方向の正方向および逆方向に対応して磁気データの各ビットが記録されている位置に対して前方または後方にずれているものである。
【００２６】
本発明では、導電帯がマイクロ波検知器の走査方向の正方向および逆方向に対応して磁気データの記録位置に対して予め定めた前方または後方にずれていることにより、マイクロ波検知電圧と電磁データの検知の先後によって検知器の走査方向を検出する。
【００２７】
本願請求項７に係る安全スレッドは、
基材上に導電層を有する安全スレッドであって、前記導電層に安全スレッドの長さ方向に少なくとも２種類の長さを有する導電帯を形成し、前記導電帯を認識用データを担持するように配列したものである。
【００２８】
本発明では、安全スレッドの長さ方向に少なくとも２種類の長さを有する導電帯は少なくともに２種類のマイクロ波電圧を検知させる。これらの電圧はデジタル化することができ、これによって導電層単体で安全スレッドの認識用のデータを担持させることができる。
【００２９】
本願請求項８に係る安全スレッドの真偽判別装置は、
安全スレッドに沿って走査するマイクロ波検知器と磁気検知器と、
前記マイクロ波検知器が所定のマイクロ波検知電圧を検知したタイミングを読み取り開始の基準として前記磁気検知器が検知した磁気波形を磁気データとして読み取るタイミング照合手段と、を有していることを特徴とするものである。
【００３０】
本発明では、マイクロ波検知器が導電部のマイクロ波電圧を検知し、磁気検知器が磁性層に記録された磁気データを検知する。タイミング照合手段は、マイクロ波電圧の検知時点をデータ読み取りタイミングとして磁気データを読み取る。これにより、磁気データの区切りが明確になり、データとして有意に読み取ることができる。
【００３１】
本願請求項９に係る安全スレッドの真偽判別装置は、
安全スレッドに沿って走査するマイクロ波検知器と磁気検知器と、
前記マイクロ波検知器が所定のマイクロ波検知電圧を検知したタイミングを読み取り開始の基準として前記磁気検知器が検知した磁気波形を磁気データとして読み取るタイミング照合手段と、を有しているものである。
【００３２】
本発明では、マイクロ波検知器は導電部のマイクロ波電圧を検知し、磁気検知器は磁性層に記録された磁気データを検知する。タイミング照合手段は、マイクロ波電圧の検知時点をスタートタイミングとして磁気データを読み取る。
【００３３】
本願請求項１０に係る安全スレッドの真偽判別装置は、
安全スレッドに沿って走査するマイクロ波検知器と磁気検知器と、
前記マイクロ波検知器が所定のマイクロ波検知電圧を検知したタイミングを読み取り開始の基準とし、他の所定のマイクロ波検知電圧を検知したタイミングをデータ読み取りタイミングの基準として前記磁気検知器が検知した磁気波形を磁気データとして読み取るタイミング照合手段と、を有していることを特徴とするものである。
【００３４】
本発明では、マイクロ波検知器は導電部のマイクロ波電圧を検知し、磁気検知器は磁性層に記録された磁気データを検知し、タイミング照合手段は、マイクロ波電圧の検知時点を基準として磁気データの読み取りを開始するとともに、磁気データの各ビットを読み取る。
【００３５】
本願請求項１１に係る安全スレッドの真偽判別装置は、請求項８〜１０の安全スレッドの真偽判別装置において、
前記マイクロ波検知器が所定のマイクロ波検知電圧を検出したタイミングと前記磁気検知器が磁気波形を検出したタイミングの先後によって、磁気検知器が読み取った磁気データを正逆位相補正する位相補正手段を有しているものである。
本発明では、位相補正手段は、マイクロ波検知電圧の検出タイミングと磁気波形の検出タイミングの先後によって検知器の走査方向を検出し、読み取った磁気データの位相補正を行う。
【００３６】
本願請求項１２に係る安全スレッドの真偽判別装置は、請求項８〜１１のいずれかの装置において、
真正印刷物の識別データを記憶した記憶手段と、
前記磁気データを真正印刷物の識別データと比較して真偽判定する真偽判定手段と、を有しているものである。
本発明では、真偽判定手段は、読み取った磁気データを記憶手段に記憶された識別データと照合し、これにより印刷物の真偽判定を行う。
【００３７】
本願請求項１３に係る安全スレッドの真偽判別装置は、
安全スレッドに沿って走査するマイクロ波検知器と磁気検知器と、
前記マイクロ波検知器が検知した段階的強弱を有するマイクロ波検知電圧を少なくとも２つ値を有する導電性データに変換する導電性データ化手段と、
前記マイクロ波検知器がマイクロ波検知電圧を検知したタイミングをデータ読み取りタイミングの基準として前記磁気検知器が検知した磁気波形を磁気データとして読み取るタイミング照合手段と、を有していることを特徴とするものである。
【００３８】
本発明では、導電性データ化手段により、マイクロ波検知器が検知した段階的強弱を有するマイクロ波検知電圧を少なくとも２つ値を有する導電性データに変換する。これにより、タイミング照合手段が、所定の導電性データを読み取ったタイミングを、磁気データの各ビットを読み取るデータタイミングとして使用する。
【００３９】
本願請求項１４に係る安全スレッドの真偽判別装置は、
安全スレッドに沿って走査するマイクロ波検知器と磁気検知器と、
前記マイクロ波検知器が検知した段階的強弱を有するマイクロ波検知電圧を少なくとも２つ値を有する導電性データに変換する導電性データ化手段と、
前記マイクロ波検知器が所定のマイクロ波検知電圧を検知したタイミングを読み取り開始の基準とし、他のマイクロ波検知電圧を検知したタイミングをデータ読み取りタイミングの基準として前記磁気検知器が検知した磁気波形を磁気データとして読み取るタイミング照合手段と、を有していることを特徴とするものである。
【００４０】
本発明では、タイミング照合手段が、所定の導電性データを読み取ったタイミングを磁気データ読み取り開始のスタートタイミングとし、他の種類の導電性データを読み取ったタイミングを、磁気データ各ビットを読み取るデータタイミングとして使用する。
【００４１】
本願請求項１５に係る安全スレッドの真偽判別装置は、請求項１３または１４の装置において、
前記マイクロ波検知器が所定のマイクロ波検知電圧を検出したタイミングと前記磁気検知器が磁気波形を検出したタイミングの先後によって、磁気検知器が読み取った磁気データを正逆位相補正する位相補正手段を有しているものである。
本発明では、マイクロ波検知器が所定のマイクロ波検知電圧を検出したタイミングと磁気検知器が磁気波形を検出したタイミングの先後により、先後位相補正手段が磁気データの正逆位相補正を行う。
【００４２】
本願請求項１６に係る安全スレッドの真偽判別装置は、請求項１３〜１５のいずれかの装置において、
前記導電性データと前記磁気データの内容を照合するデータ照合手段を有しているものである。
本発明では、真正印刷物の認識データを保持することなく、データ照合手段により導電性データと磁気データを照合して印刷物の真偽判定を行う。
【００４３】
本願請求項１７に係る安全スレッドの真偽判別装置は、
マイクロ波検知器と磁気検知器とを印刷物の安全スレッドを設けた部分あるいはその搬送路の両側に対向して配置し、印刷物と磁気検知器の間にマイクロ波反射板を設けたものである。
本発明では、反射板がマイクロ波検知器からのマイクロ波を反射し、外部からのノイズをカットする一方、磁気検知器の検知には影響を及ぼすことがない。
【００４４】
本願請求項１８に係る安全スレッドの真偽判別方法は、
所定のマイクロ波検知電圧を検知するステップと、
前記マイクロ波検知電圧を検知したタイミングを読み取り開始の基準として磁気データを読み取るステップとを有しているものである。
本発明では、マイクロ波による電圧を検知し、この検知時点を基準として磁気データの読み取りを開始する。これにより、磁気データの先頭ビットが明らかになる。
【００４５】
本願請求項１９に係る安全スレッドの真偽判別方法は、
所定のマイクロ波検知電圧を検知するステップと、
前記マイクロ波検知電圧を検知したタイミングをデータ読み取りタイミングの基準として磁気データを読み取るステップとを有していることを特徴とするものである。
本発明では、マイクロ波による電圧を検知し、この検知時点を基準として磁気データの各ビットを読み取る。これにより、磁気データの各ビットの内容が確定される。
【００４６】
本願請求項２０に係る安全スレッドの真偽判別方法は、
２種類のマイクロ波検知電圧を検知するステップと、
１種類のマイクロ波検知電圧を検知したタイミングを読み取り開始の基準とし、他の種類のマイクロ波検知電圧を検知したタイミングをデータ読み取りタイミングの基準として磁気データを読み取るステップとを有しているものである。
本発明では、２種類のマイクロ波検知電圧を検知し、１種類のマイクロ波電圧の検知時点をスタートタイミングとし、他の種類のマイクロ波電圧の検知時点をデータタイミングとして使用する。
【００４７】
本願請求項２１に係る安全スレッドの真偽判別方法は、請求項１８〜２０のいずれかの方法において、
前記マイクロ波検知電圧を検知したタイミングと前記磁気データを検知したタイミングの先後によって磁気データを正逆位相補正するステップを有するものである。
本発明では、マイクロ波検知電圧を検知したタイミングと磁気データを検知したタイミングの先後により磁気データの正逆位相補正を行う。
【００４８】
本願請求項２２に係る安全スレッドの真偽判別方法は、
少なくとも２種類のマイクロ波検知電圧を検知するステップと、
前記マイクロ波検知電圧を少なくとも２つ値を有する導電性データに変換するステップと、
マイクロ波検知電圧を検知したタイミングをデータ読み取りタイミングの基準として磁気データを読み取るステップと、
前記導電性データと前記磁気データとを照合して真偽を判別するステップと、を有するものである。
本発明によれば、所定のマイクロ波検知電圧を検知したタイミングを基準に磁気データの各ビット内容を読み取り、且つ、導電性データと前記磁気データの内容を照合して真偽判定をすることができる。
【００４９】
本願請求項２３に係る安全スレッドの真偽判別方法は、
少なくとも２種類のマイクロ波検知電圧を検知するステップと、
前記マイクロ波検知電圧を少なくとも２つ値を有する導電性データに変換するステップと、
１種類のマイクロ波検知電圧を検知したタイミングを読み取り開始の基準とし、他の種類のマイクロ波検知電圧を検知したタイミングをデータ読み取りタイミングの基準として磁気データを読み取るステップと、
前記導電性データと前記磁気データとを照合して真偽を判別するステップと、を有していることを特徴とするものである。
【００５０】
本発明によれば、少なくとも２種類のマイクロ波検知電圧を検知し、マイクロ波検知電圧を少なくとも２つ値を有する導電性データに変換し、所定の導電性データをデータ読み取り開始タイミング、他の導電性データを磁気データの各ビットを読み取るタイミングとして磁気データを読み取り、且つ、導電性データと磁気データとを照合して印刷物の真偽判定を行う。
【００５１】
本願請求項２４に係る安全スレッドの真偽判別方法は、請求項２２または２３の方法において、
前記マイクロ波検知電圧を検知したタイミングと前記磁気データを検知したタイミングの先後によって磁気データを正逆位相補正するステップを有するものである。
本発明では、マイクロ波検知電圧を検知したタイミングと前記磁気データを検知したタイミングの先後によって磁気データを正逆位相補正する。
【００５２】
【発明の実施の形態】
次に、本発明の実施の形態について図面を用いて以下に説明する。
図１に本発明の一実施形態による安全スレッドを示す。図１（ａ）に示すように、本実施形態の安全スレッド１は細長い条片に形成され、印刷物２の一辺に平行にその表面または内部に接着または埋設されている。
【００５３】
図１（ｂ）は図１（ａ）において矢印Ａ−Ａ方向に見た安全スレッド１の側断面である。図１（ｂ）に示すように、本実施形態の安全スレッド１は、主に基材３と磁性層４と導電層５とからなり、必要に応じて保護層７と接着層６とを設けている。
【００５４】
基材３は非導電性の材料、たとえばポリエステル、再生セルロース、塩化ビニールその他のプラスティックをフィルム状に成形したものを使用する。基材３の厚さの設計は、材質によるがＰＥＴフィルムでは強度的には厚さ４μｍ以上必要であり、また、製造ラインでのテンションによる導電層５の破断を考慮すると厚さ１０μｍが好ましい。
【００５５】
磁性層４は基材３上磁性体を塗布することにより形成することができる。磁性体はバリウム−フェライトを代表とする一般的な磁性体でも良いが、偽造防止・改竄防止を目的として、特開平１０−２６９５５６号（ＭｎＢｉを主体とする磁性粉末と、酸性磁性粉末、金属磁性粉末、合金磁性粉末および化合物磁性粉末のうちのすくなくとも１種類の磁性材料からなる磁気記録媒体に関する特許）が教示する保持力の高い磁性材料を使用するのが好ましい。
【００５６】
導電層５は真空蒸着、スパッタリング、メッキ等の方法、装置等を用いて基材３上にアルミニウムやクロムなどの導電薄膜を形成し、その後に当該導電薄膜を部分的に除去する。なお、導電薄膜を部分的に除去するには、以下の▲１▼〜▲５▼の方法がある。
【００５７】
▲１▼真空蒸着法、スパッタリング法、メッキ法等により一様に金属薄膜を形成した後にレーザ照射により金属薄膜を部分的に消却する、
▲２▼真空蒸着法、スパッタリング法、メッキ法等により一様に金属薄膜を形成した後にフォトエッチングにより金属薄膜を任意の形状に部分的に除去する。
▲３▼金属薄膜を除去したい部分に水溶性樹脂を転写しておき、金属薄膜を形成した後に水で水溶性樹脂の部分を洗い出して金属薄膜を部分除去する。
▲４▼熱や接着により金属薄膜を部分的に転写して形成する。
▲５▼スクリーン印刷、グラビア印刷、凹版印刷等の印刷方法により導電性の材料を基材３上に印刷し、導電部分を部分形成する。
【００５８】
なお、本実施形態では、導電層５と磁性層４が共存するので、磁気データの読み取りに導電層５が、逆に、導電性データ（マイクロ波検知電圧によって表されたデータ・情報）の読み取りに磁性層４がノイズとして互いに影響しないように配慮するのが好ましい。このため、磁性材料は上述したように一般的な磁性材料若しくは特開平１０−２６９５５６号が教示する磁性材料を用いる一方、導電層５はアルミニウム、クロムを含む体積抵抗率が低く、かつ、透磁率が低い材料が好ましい。導電層５の膜厚は約４００Å〜約２０００Åであるのが好ましい。
【００５９】
磁性層４や導電層５の配置は基材３に関して上下どちら側でもよく、また、基材３の片側に重層してもよい。導電層５は少なくとも一層あればよいが、基材３の上下両側にそれぞれ一層を配置する場合は内側の磁性層を不可視化できるので、偽造防止の効果をさらに向上させることができる。
【００６０】
保護層７は、磁性層４や導電層５を保護することを目的として付すものである。磁性層４や導電層５が空気や水分に触れて腐食するのを防止するため、保護層７はアクリル系、ポリエステル系、エポキシ系の樹脂を用いる。磁性層４と導電層５が基材３の片側に重層される場合には、磁性層４と導電層５の直接の接触を防止するために保護層７を使用することもできる。
【００６１】
接着層６は、安全スレッド１を印刷物２上に接着する場合に設ける必要がある（印刷物中に挿入・埋設する場合は紙層中への定着効果が期待できる）。接着層６は、表面の平滑性の向上に効果があり、アクリル系、ポリエステル系、エポキシ系等の樹脂を用いる。接着層６の膜厚は導電層５等のムラや平滑性への影響を防止するため、膜厚２μｍ以上が好ましい。
【００６２】
製造工程において安全スレッド１を印刷物２に接着あるいは埋設するには、連続して流れる印刷用紙に、予めボビンに巻かれた安全スレッド１を同期させて解いて付着させ、その後に印刷用紙を所定の寸法に裁断するようにする。
【００６３】
本発明の安全スレッドは、図１の実施形態にも示すように導電層５を部分的に除去して導電部分と非導電部分とを形成している。導電部分は、図１（ａ）に示すように、安全スレッド１上に帯状に形成されるので、本明細書ではこの導電部分を「導電帯」という。本発明は、安全スレッド１の長さ方向に沿った導電帯の長さを調整し、複数種類の長さの導電帯の組み合わせによって任意の情報を表現することができるようにしている。以下にその導電層５に任意の情報（導電性によって表わされるデータいう意味で「導電性データ」という）を担持させる方法を説明する。
【００６４】
図２は、横軸に導電帯の長さ、縦軸にマイクロ波検知電圧をとったグラフである。マイクロ波は電磁波であり、周波数（ＧＨｚ）と波長（ｍｍ）は、下式に示す通りである。
波長λ＝ｃ／ｆ  （ｃ：光速、ｆ：周波数）
【００６５】
電磁波に対するアンテナの共振波長は波長λの整数分の一である。ここで、２４．１２５ＧＨｚのマイクロ波検知器を用いるとすると、発明者の実験によると、種々の要因が加わって図２に示すように長さ約４ｍｍの導電帯においてもっとも大きなマイクロ波検知電圧を得ることができる。なお、上記種々の要因が加わるので本明細書では導電帯の長さを電磁波波長の「ほぼ」整数分の一の長さということにした。
【００６６】
マイクロ波検知電圧の値は上述したように種々の要因の影響を受けるので、発明者は実際に種々の長さの導電帯を用いてそのマイクロ波検知電圧を計測した（図３参照）。この中から長さ４ｍｍと２ｍｍの導電帯を選択し、４ｍｍと２ｍｍの導電帯を配置することにより図４に示すような段階的な強さのマイクロ波検知電圧を計測することができた。
なお、発明者の実験によれば、一般に、検知用マイクロ波の波長のほぼ１／４の長さの導電帯で検知電圧が高く、１／２，１／８，１／１６，・・・というように１／４の整数倍または整数分の一でマイクロ波検知電圧の極大値を観測することができた。
【００６７】
図４は、長さ４ｍｍの導電帯と、２ｍｍのものを２個並べた導電帯を交互に配置した例である。長さ２ｍｍの導電帯は、４ｍｍの導電帯の中央部に炭酸ガスレーザを照射して切れ込みを入れたものである。なお製造可能であれば１ｍｍの導電帯を４個配置してもよい。図４のグラフは上記導電帯に対して２４．１２５ＧＨｚのドップラーモジュール（マイクロ波検知器）で測定した電圧波形である。長さ４ｍｍの導電帯に電磁波の周波数が共振し、長さ２ｍｍの導電帯は共振しないため、電圧の段階的な相違が見られた。このような段階的な電圧差により、電圧波形を数値化が可能となる。例えば、２４．１２５ＧＨｚのマイクロ波を使用する場合、導電帯の長さの設計として高レベルのマイクロ波検知電圧を得るものを４ｍｍ、中レベルのものを２ｍｍまたは８ｍｍ、低レベルのものを０ｍｍとすることにより、それぞれの検知電圧のレベルに応じて３種類の信号を得られることになる。
【００６８】
高レベルの検知電圧を検知したタイミングをデータが開始する基準（この基準を本明細書では「スタートタイミング」という）とすると、中レベルと低レベル検知電圧によって０と１の値による情報表現を得られる。あるいは、高レベルと中レベルの検知電圧を用いて、最初の高レベルの検知電圧の検知時点をスタートタイミングとし、以降は高レベルと中レベルの検知電圧によって０と１の情報を構成することもできる。
【００６９】
また、相対的に強いマイクロ波検知電圧を示す導電部、例えば４ｍｍ等の適当な長さの導電帯を磁気データを記録した部分に対応させて設けることにより、高い電圧を検知したタイミングをデータ読み取りタイミングの基準（この基準を本明細書では「データタイミング」という）とすることもできる。
【００７０】
安全スレッド１の磁性層４に磁気データを記録する方法について説明する。
磁気データを記録するには、磁気ヘッドに図５に示すような交流電圧を印加して磁性層４に交流磁界で信号を書き込むようにする。この場合、安全スレッド１の走行速度と１データの波長の長さとの兼ね合いによって交流電圧の周波数が決定されるが、この例では２ＫＨｚの周波数を用い２６本／４ｍｍとした。図５の例では帯磁した４ｍｍ部分と帯磁していない４ｍｍ部分が形成され、それぞれ１と０の磁気データとなる。
【００７１】
次に、上記導電性データと磁気データとを組み合わせた使用法について図６を用いて説明する。
図６（ａ）は、導電性データをスタートタイミングとしてのみ使用する例を示している。図６（ａ）の例では、磁性層に「１０１１０１」という磁気データが記録されており、導電性データは磁気データの開始と終了の位置と同一位置に設けられている。この例では、導電性データを検知した時点と磁気データの開始時点とが対応しており、導電性データを検知した時点で磁気データの先頭ビットが確定され、それに続くデータが磁気データとして読み取られる。つまり、導電性データが磁気データのスタートタイミングとなっている。磁気データの終了位置にもスタートタイミングが設けられているのは、逆方向から検知器が走査した場合を考慮したものである。
【００７２】
なお、スタートタイミングの導電性データは、図６（ａ）のように磁気データの先頭ビットと同一位置に配置されているのが好ましいが、導電性データは磁気データの先頭ビットに対して既知の一定の距離、たとえば所定の距離前方または後方にずれていてもよい。このような一定の距離のずれは、マイクロ波検知器と磁気検知器の配置、あるいは位置センサによる検知、あるいはソフトウェアによる補正により、時間的にスタートタイミングと磁気データの先頭ビットの読み取りタイミングを整合させることができる。導電性データの読み取りタイミングが磁気データの読み取り開始の「基準」としているゆえんである。
【００７３】
図６（ｂ）は、導電性データをスタートタイミングとデータタイミングとして使用する例を示している。図６（ｂ）の例では、スタートタイミングの導電性データが磁気データの先頭および末尾に対応して設けられ、データタイミングの導電性データが磁気データの先頭と末尾の間の各ビットに対応して設けられている。スタートタイミングは同図（ａ）で説明したように磁気データの読み取り開始時点を標示している。一方、データタイミングは磁気データの各ビットを読み取るべき時点を標示している。データタイミングが示す時点また位置で磁気を検知できない場合は「０」と認識し、磁気を検知した場合は「１」と認識するというようにして磁気データ全体を読み取ることができる。データタイミングを使用することにより、検知器の走査速度のムラや磁気データの記録位置の微妙なずれを吸収し、磁気データの読み取りミスを減らすことができるようになる。なお、この例においても同図（ａ）の場合と同様に、磁気データとスタートタイミングとデータタイミングが一定の位置関係、すなわち既知の距離や時間前後にずれていてもよい。
【００７４】
次に、本発明による安全スレッドの真偽判別装置について図７と図８とを用いて説明する。
図７は、本発明の一実施形態による安全スレッドの真偽判別装置の物理的な構成を概略示している。この例の真偽判別装置８は、印刷物２を搬送するためのベルトコンベアを有し、印刷物２の搬送路の上下にマイクロ波検知器９と磁気検知器１０とを設けている。必要に応じて真偽判別装置８に印刷物の位置を検知する位置センサー（図示せず）を設けるようにする。
【００７５】
真偽判別装置８において印刷物２を図７に示す搬送方向に送ることにより、マイクロ波検知器９と磁気検知器１０によってそれぞれ導電性データと磁気データとを読み取ることができる。なお、導電性データと磁気データの処理手段については別途説明する。
【００７６】
図８は、マイクロ波検知器９と磁気検知器１０の配置構成例を示している。図８（ａ）の例は、印刷物あるいは印刷物の搬送路を挟んでその両側にマイクロ波検知器９と磁気検知器１０とを互いにずらして配置したものであり、マイクロ波と磁気の相互の影響を防止するするようにしたものである。同図（ｂ）の例は、（ａ）の構成においてマイクロ波検知器９の対向位置に反射板１１を設けたものである。反射板１１はマイクロ波を反射するとともに、外来ノイズを防止し、検知電圧の調整に役立つ。なお、反射板１１は、一例としてアルミニウム製とすることができる。同図（ｃ）の例は、同様にマイクロ波検知器９の対向位置に無反射終端器１２を設けたものである。同図（ｄ）の例は、印刷物あるいは印刷物の搬送路を挟んでその両側にマイクロ波検知器９と磁気検知器１０を互いに対向させて配置し、印刷物（印刷物の搬送路）と磁気検知器１０の間に反射板１１を設けたものである。この（ｄ）の例によれば、マイクロ波が反射板１１によって反射されて磁気検知器１０の読み取りに影響を与えることがなく、かつ、マイクロ波検知器９と磁気検知器１０とを対向させて配置できることにより検知器全体の小型化に寄与することができる。
【００７７】
次に、本発明による安全スレッドの真偽判別の実施例について図９，１０，１１，１２を用いて説明する。
図９は本発明の第一実施例による安全スレッドの真偽判別を示している。同図（ａ）は物理的な構成、（ｂ）は真偽判別の処理手段と処理の流れ、（ｃ）は真偽判別の方法をそれぞれ示している。
【００７８】
この第一実施例はマイクロ波検知電圧をデータタイミングとして利用する例である。スレッド層の構成は以下の通りである。
▲１▼第一保護層：２μｍ  （図示せず）
▲２▼導電層（アルミ）：５００Å
▲３▼基材：１０μｍ
▲４▼磁性層：１０μｍ
▲５▼第２保護層：５μｍ  （図示せず）
本実施例の導電層の加工は、アルミの導電被膜（５００Å）の蒸着前に基材となるＰＥＴフィルム上に水溶性樹脂を塗り、蒸着後に水で洗い出す方法により導電部と非導電部を構成したものである。
【００７９】
導電帯は図９（ａ）に示すように長さ４ｍｍ×５個を、一つの導電パターンとして配置している。導電帯の間の距離は０．１ｍｍ以上離してある。
基材のＰＥＴフィルムの下側の面には保持力が高い磁性材料を塗布機により塗布し、書き込み信号の変調を２ＫＨｚとして２６本／４ｍｍとなるように磁気データを書き込んだ。
【００８０】
安全スレッドの幅（紙面に対して垂直方向）は約１．５ｍｍに裁断してある。マイクロ波検知器磁気検知器は互いに位置をずらして配置してある。
図９（ｂ）は第一実施例の真偽判別装置の処理手段と処理の流れを示している。マイクロ波検知器は、図示していないが発信回路、検波回路、送信アンテナ、受信アンテナを内蔵しており、安全スレッドにマイクロ波を放射し、マイクロ波の反射、透過、吸収、共振による受信レベルを検知する。マイクロ波検知器に接続されたアンプは検知されたマイクロ波の波形を増幅し、オフセット調整、ゲイン調整を行って適切なアナログ電圧値を得る。
【００８１】
磁気検知器は、磁気センサとして一般的な磁気センサ、たとえばＭＲヘッド、ＴＭＦ薄膜磁気センサ等を用いて磁性層に書き込まれた磁気データを検出する。なお、ＭＲヘッドは出力電圧の取り出しが容易である一方、ＴＭＦ薄膜磁気センサ等は必要な駆動回路を適宜回路に組み込むようにする。磁気検知器に接続されたアンプは磁気検知器からの信号波形を増幅し、オフセット調整、ゲイン調整を行って適切なアナログ電圧値を得る。前記アンプに接続された波形処理回路は、磁気検知器で検出した信号を波形処理するものであれば任意の公知のものを利用することができる。例えばＭＲヘッドは１つの信号に対して上下に電圧波形が振れるので、整流回路や波形整形回路等を用いる。波形処理されたアナログ電圧をＡ／Ｄ変換し、閾値によりデジタル信号に変換し、磁気データとして用いる。
【００８２】
タイミング照合手段は、マイクロ波検知器が所定のマイクロ波検知電圧を検知したタイミングを基準に磁気検知器が検知した磁気データを読み取る手段である。本実施例ではマイクロ波検知電圧はデータタイミングとして用いられ、タイミング照合手段に送られ、対応する磁気データを情報として読み取るようにしている。なお、タイミング照合手段は、マイクロ波検知電圧のタイミングと磁気データのタイミングをタイムディレー等ソフトウェア上で補正するものでもよく、位置センサ等のハードウェアによって補正するものでもよい。
【００８３】
位相補正手段は、印刷物の搬送方向の正方向や逆方向を検出し、逆方向の場合には読み取られたデータビットの順番を並べ替える（この操作を「正逆位相補正」という）を行う手段である。なお、本実施例の場合は、意図的に磁気データを「１１０１１」として正方向と逆方向のいずれでも同じ磁気データを検出できるようにしている。この場合の位相補正手段は読み取りデータの下位３桁を読み取るだけであるが、広い意味での位相補正を行っている。
【００８４】
真偽判定手段は、磁気データを真正印刷物の識別データと比較照合して真偽判定する手段である。記憶手段は、上記真正印刷物の識別データを記憶する手段である。
【００８５】
図９（ｃ）は、真偽判定方法の処理の流れを示している。この実施例では、マイクロ波検知電圧はデータタイミングとして用いられ、タイミング照合手段の処理によって対応する磁気データ「１１０１１」が読み取られる。磁気データは前述したように意図的に対称的に配置されおり、印刷物の正搬送と逆搬送のいずれの場合も磁気データ「０１１」が真偽判別用の磁気データとして読み取られる。
【００８６】
一方、記憶手段には、真正印刷物の識別データ、すなわち券種Ａ「００１」、券種Ｂ「０１０」、券種Ｃ「０１１」が予め記憶されている。真偽判定手段は、真偽判別用の磁気データと上記真正印刷物の識別データ「０１１」とを比較照合し、判別対象の印刷物が真正印刷物の券種Ｃであると判定する。
【００８７】
次に、本発明の第二実施例による安全スレッドの真偽判別について図１０を用いて説明する。
図１０（ａ）は第二実施例の物理的な構成、同図（ｂ）は真偽判別の処理手段と処理の流れ、同図（ｃ）は真偽判別の方法をそれぞれ示している。
第二実施例の安全スレッドの真偽判別は、マイクロ波検知電圧をスタートタイミングとデータタイミングとして利用する例である。
【００８８】
図１０（ａ）は第二実施例の物理的な構成を示している。
第二実施例のスレッド層の構成は第一実施例と同一である。本実施例の導電層の加工は第一実施例と同様に水溶性樹脂の洗い出しによる。ただし、導電帯は長さ４ｍｍのものと、長さ２ｍｍのものを２個並べたものとを用いてパターンとして配置している。２つの長さ２ｍｍの導電帯は間隔０．１ｍｍ以上離して配置している。
【００８９】
磁気データの付与の方法、安全スレッドの幅、マイクロ波検知器と磁気検知器の配置等は第一実施例と同様であるので説明を省略するが、本実施例ではマイクロ波検知器の下方に反射板を設けている。
【００９０】
第二実施例の真偽判別装置の処理手段や処理の流れは図１０（ｂ）に示す通りであって、第一実施例のそれとほぼ同じであるが、マイクロ波検知電圧は導電帯が４ｍｍと２ｍｍの２種類があるので高低２種類の電圧を検知し、タイミング照合手段において高い電圧の検知電圧をスタートタイミングとし、低い電圧の検知電圧をデータタイミングとして処理を行っている。
【００９１】
図１０（ｃ）は第二実施例の真偽判定方法の処理の流れを示している。第二実施例では、マイクロ波検知電圧が高い検知電圧はスタートタイミングとして磁気データの読み取りが開始され、それに続く低い電圧のデータタイミングに対応して磁気データの各ビット内容が読み取られる。本実施例によれば磁気データ「１０１０１」が読み取られ、下位３桁「１０１」が真偽判別用の磁気データとして読み取られる。なお、本実施例でも印刷物の正搬送と逆搬送のいずれの場合にも同じ「１０１」が読み取られるように磁気データの各ビット内容が意図的に対称的に配置されている。
【００９２】
第二実施例の記憶手段には、真正印刷物の識別データ、券種Ａ「００１」、券種Ｂ「０１０」、券種Ｃ「１００」、券種Ｄ「１０１」が予め記憶されており、真偽判定手段は、真偽判別用の磁気データ「１０１」と上記真正印刷物の識別データとを比較照合し、判別対象の印刷物が真正印刷物の券種Ｄであると判定する。
【００９３】
次に、本発明の第三実施例による安全スレッドの真偽判別について図１１を用いて説明する。図１１（ａ）は第三実施例の物理的な構成、同図（ｂ）は真偽判別の処理手段と処理の流れ、同図（ｃ）は真偽判別の方法をそれぞれ示している。
第三実施例による安全スレッドの真偽判別は、マイクロ波検知電圧をスタートタイミングおよびデータタイミング並びに導電性データとして利用し、磁気データと照合するようにした例である。
【００９４】
図１１（ａ）において、第三実施例のスレッド層の構成は第一、第二実施例と同一である。また、本実施例の導電層の加工も第一、第二実施例と同様に水溶性樹脂の洗い出しによる。ただし、導電帯は長さ４ｍｍのものと、長さ８ｍｍのものとを用いてパターンとして配置している。長さ８ｍｍの導電帯は長さ２ｍｍの導電帯と同様に相対的に弱いマイクロ波検知電圧を検知できる。
【００９５】
磁気データの付与の方法、安全スレッドの幅、マイクロ波検知器と磁気検知器の配置等は第一、第二実施例と同様であるので説明を省略するが、本実施例ではマイクロ波検知器の下方に無反射終端器を設けている。
本実施例では、導電帯に対して磁性層の帯磁部が後方、すなわち印刷物の正の搬送方向に対しての下流側にずれていることが特徴となっている。
【００９６】
図１１（ｂ）は、第三実施例の真偽判別装置の処理手段とその処理の流れを示している。第一、第二実施例の装置と比較すると、マイクロ波検知電圧を数値化する、すなわち導電性データ化する「導電性データ化手段」を有している点、スタートタイミングのマイクロ波検知電圧と最初に検知した磁気データの位相ずれをタイミング照合手段に送る点、記憶手段を省略している点等で第一、第二実施例と相違する。
【００９７】
導電性データ化手段は、マイクロ波検知電圧のアナログ電圧値をＡ／Ｄ変換し、少なくとも１つの閾値によってマイクロ波検知電圧を２値化あるいは３値化する。たとえば３値化の場合は、マイクロ波検知電圧をＨ、Ｍ、Ｌの３レベルに分割し、それぞれデジタル値に対応させるが、本実施例ではＨ（値「１」）をスタートタイミングとし、Ｍ（値「０」）をデータタイミングとして用いる。導電性データは上述スタートタイミングとデータタイミングとして使用される他、０，１の配置によって所定の情報（本実施例では真偽照合用のデータ）を担持することができる。
【００９８】
図１１（ｃ）は第三実施例の真偽判定方法の処理の流れを示している。
第三実施例では、マイクロ波検知電圧は導電性データ化手段によってデータ「１００１」として読み取られる。データ「１」はスタートタイミング、データ「０」はデータタイミングとして用いられるのと同時に、データ「１００１」全体が磁気データと真偽照合できる導電性データとなっている。
【００９９】
一方、磁気データはスタートタイミングを基準として読み取られるが、スタートタイミングと磁気データのずれにより、搬送方向の正方向・逆方向によって異なる読み取り結果となる。正方向の場合、スタートタイミング検知後に磁気データの先頭ビットが読み取られるので、磁気データは「１００１」と検知され、上位３桁をとるようにすると真偽判別用データとして「１００」を得られる。
【０１００】
これに対して逆方向の場合、スタートタイミング検知後に読み取る磁気データは上位３桁をとるとデータ「００１」を得る。この場合、スタートタイミング検知前に磁気データの先頭ビットを検知していることから、通紙方向が逆方向であることが検出され、位相補正手段によって各ビットの順番が逆に配列されてデータ「１００」を得る。
【０１０１】
位相補正された真偽判別用データ「１００」は導電性データ「１００」（上位３桁）と比較され、これらが一致するので真正印刷物と判定されている。
なお、第三実施例において磁気データと導電性データがともにビットを対称的に配置した「１００１」からなるが、正逆位相補正するので、対称的に配置したデータでなくてもよい。
【０１０２】
上述した真偽判定処理では、逆方向に検知した場合にスタートタイミング検知後の磁気データ「００１」のみを読み取り、正逆位相補正により照合用データ「１００」を得るようにしているが、磁気データ「１００１」を読み取りその後にスタートタイミングと磁気データの先頭ビットの先後によってソフトウェア的に正逆位相補正する方法も可能である。
【０１０３】
次に、本発明の第四実施例による安全スレッドの真偽判別について図１２を用いて説明する。
第四実施例による安全スレッドの真偽判別は、マイクロ波検知電圧をスタートタイミングおよびデータタイミング並びに導電性データとして利用する他の例である。
【０１０４】
第四実施例のスレッド層の構成は第一実施例等と同一である。また、本実施例の導電層の加工は第一実施例等と同様に水溶性樹脂の洗い出しによる。ただし、導電帯は長さ４ｍｍのものと、長さ２ｍｍのものを２個並べたものとを用いてパターンとして配置している。２つの長さ２ｍｍの導電帯は間隔０．１ｍｍ以上離して配置している。
【０１０５】
本実施例では、導電帯が４ｍｍ、２／２ｍｍ、２／２ｍｍに繰り返し配置され、磁性層が「１００」に繰り返し帯磁され、帯磁部が導電帯の後方、すなわち印刷物の正の搬送方向に対しての下流側にずれている。本実施例では、データが「１００，１００，・・・」というように連続している。
【０１０６】
磁気データの付与の方法、安全スレッドの幅等は第一、第二、第三実施例と同様であるが、本実施例ではマイクロ波検知器と磁気検知器とを対向させて配置し、印刷物の搬送路と磁気検知器の間にアルミ製の反射板を配置している。
【０１０７】
図１２（ｂ）は、第四実施例の真偽判別装置の処理手段とその処理の流れを示しているが、これらは第三実施例の装置と同様であるので重複する説明を省略する。
【０１０８】
図１２（ｃ）は、第四実施例の真偽判定方法の処理の流れを示している。
第四実施例では、導電性データは繰り返しのデータ「１００」となり、「１」がスタートタイミング、「０」がデータタイミングとなっている。一方、磁気データは正方向の場合には「１００」と読み取られ、逆方向の場合には「００１」と読み取られる。スタートタイミングの「１」と磁気データの「１」の先後が判断され、逆方向の場合には「００１」が正逆位相補正されて「１００」となる。その後に導電性データ「１００」と位相補正後の磁気データ「１００」が比較照合され、一致することにより真正印刷物と判定される。
【０１０９】
【発明の効果】
以上の説明から明らかなように、本発明によれば、導電層に導電部と非導電部を設ける場合を含めて相対的にマイクロ波検知電圧が高い導電部を設け、前記導電部を電磁データ読み取り開始のスタートタイミングとすることにより、印刷物に対する安全スレッドの付着位置のばらつきに関わりなく磁気データの先頭ビットを確定でき、印刷物に対する安全スレッドのずれによる磁気データの読み取り錯誤を防止することができる。
【０１１０】
また、本発明では、導電部の位置と磁気データを意図的にずらし、マイクロ波検知電圧と磁気データの読み取りの先後により、印刷物の搬送方向の正逆を判定する。これにより、安全スレッドを走査することにより、印刷部の挿入方向を検知でき、一本の細長い安全スレッドのみを設けた印刷物においても安全スレッド上に付した情報を正しい方向に補正して読み取ることができる。
【０１１１】
さらに、本発明では導電層に検知用マイクロ波の波長のほぼ整数分の一の複数種の長さの導電帯を設けたことにより、導電帯が複数の段階的な強さのマイクロ波検知電圧を生じ、複数のデジタル値に変換することができる。これにより、導電帯の配置によって任意の情報を表現でき、導電層のみによって安全スレッドの認識データを担持することができる。
【図面の簡単な説明】
【図１】本発明の一実施態様による安全スレッドの付着状態と側断面を示した図。
【図２】導電帯の長さの相違によるマイクロ波検知電圧の相違を示したグラフ。
【図３】１ｍｍ〜７ｍｍの導電帯のマイクロ波検知電圧を実験的に計測したグラフ。
【図４】４ｍｍと２／２ｍｍの導電帯のマイクロ波検知電圧を計測したグラフ。
【図５】磁気データの記録方法の一例を説明した図。
【図６】導電部と磁気データとを組み合わせて導電部によるマイクロ波検知電圧をスタートタイミングおよびデータタイミングとして使用する方法を説明した図。
【図７】本発明の安全スレッドの真偽判別装置の一例を示した図。
【図８】マイクロ波検知器と磁気検知器の配置構成例を示した図。
【図９】マイクロ波検知電圧をデータタイミングとして利用する本発明の第一実施例による安全スレッドの真偽判別を示した図。
【図１０】マイクロ波検知電圧をスタートタイミングとデータタイミングとして利用する本発明の第二実施例による安全スレッドの真偽判別を示した図。
【図１１】マイクロ波検知電圧をスタートタイミングおよびデータタイミング並びに導電性データとして利用する本発明の第三実施例による安全スレッドの真偽判別を示した図。
【図１２】マイクロ波検知電圧をスタートタイミングおよびデータタイミング並びに導電性データとして利用する本発明の第四実施例による安全スレッドの真偽判別を示した図。
【図１３】印刷物と安全スレッドの位置のずれによって磁気データの読み取り錯誤が生じることを説明した図。
【符号の説明】
１  安全スレッド
２  印刷物
３  基材
４  磁性層
５  導電層
６  接着層
７  保護層
８  真偽判別装置
９  マイクロ波検知器
１０  磁気検知器
１１  反射板
１２  無端反射器
【図１】
0004844859.tif 000002
【図２】
0004844859.tif 000003
【図３】
0004844859.tif 000004
【図４】
0004844859.tif 000005
【図５】
0004844859.tif 000006
【図６】
0004844859.tif 000007
【図７】
0004844859.tif 000008
【図８】
0004844859.tif 000009
【図９】
0004844859.tif 000010
【図１０】
0004844859.tif 000011
【図１１】
0004844859.tif 000012
【図１２】
0004844859.tif 000013
【図１３】
0004844859.tif 000014